【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】  送信装置と、データ放送データを構成する複数の各要素データを放送する放送装置とから構成されるデータ放送データ制御システムであって、
複数の前記各要素データは、複数の部品データから構成され、
前記送信装置は、
複数の前記各要素データの中の特定の前記要素データにおける特定の部品データの変更処理の実行を前記放送装置に指示する制御情報を生成する制御情報生成手段と、
生成した制御情報を前記放送装置に1回以上送信する送信手段とを有し、
前記放送装置は、
前記制御情報を受信する受信手段と、
前記制御情報に従って、特定の前記要素データにおける特定の部品データの変更処理を実行する変更手段と、
前記変更処理が実行された特定の前記要素データを含むデータ放送データを放送する放送手段と
を有することを特徴とするデータ放送データ制御システム。
【請求項２】  前記送信手段は、複数の各要素データから構成される前記データ放送データを繰返し送信し、
前記受信手段は、前記送信手段から送信された前記データ放送データを受信し、
前記変更手段は、前記制御情報に従って、受信された前記データ放送データに含まれる特定の前記要素データにおける特定の部品データの変更処理を実行する
ことを特徴とする請求の範囲第１項記載のデータ放送データ制御システム。
【請求項３】  前記制御情報は、複数の前記各要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記放送装置は、部品データ特定情報によって特定される部品データと差替えるための部品データである差替部品データを、前記部品データ特定情報と対応付けて記憶している記憶手段を有し、
前記変更手段は、
処理内容情報の示す変更処理内容を判定する処理内容判定手段と、
変更処理内容が差替である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
前記記憶手段から、前記部品データ特定情報に対応付けられている差替部品データを読出し、前記部品データ特定情報によって特定される要素データにおいて、削除した前記部品データを読出した差替部品データに差替えて出力する出力手段と
を有する
ことを特徴とする請求の範囲第２項記載のデータ放送データ制御システム。
【請求項４】  前記時期情報は、当該制御情報の受信時からの経過時間により、前記実行時期を示す
ことを特徴とする請求の範囲第３項記載のデータ放送データ制御システム。
【請求項５】  前記データ放送データ制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第３項記載のデータ放送データ制御システム。
【請求項６】  前記制御情報は、複数の前記各要素データの中から変更処理対象となる要素データと、当該要素データを構成する部品データの中で変更処理対象となる部品データとを特定する部品データ特定情報と、変更処理の内容を示す処理内容情報と、変更処理の実行時期を示す時期情報と、部品データ特定情報によって特定される部品データと差替えるための部品データである差替部品データとを含み、
前記変更手段は、
前記処理内容情報の示す変更処理内容を判定する処理内容判定手段と、
変更処理内容が差替である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
前記制御情報に含まれる前記差替部品データを取得する差替部品データ取得手段と、
前記部品データ特定情報によって特定される要素データにおいて、削除した前記部品データを取得した前記差替部品データに差替えて出力する出力手段と
を有する
ことを特徴とする請求の範囲第２項記載のデータ放送データ制御システム。
【請求項７】  前記データ放送データ制御システムは、複数の放送装置を含み、
前記制御情報はさらに、前記変更処理を実行する放送装置を特定する装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第６項記載のデータ放送データ制御システム。
【請求項８】  前記制御情報は、複数の前記各要素データの中から変更処理対象となる要素データを特定する要素データ特定情報と、変更処理内容を示す処理内容情報と、変更処理の実行時期を示す時期情報とを含み、
前記放送装置は、変更処理対象となる要素データに追加する部品データである追加用部品データを記憶している記憶手段を有し、
前記変更手段は、
前記処理内容情報の示す変更処理内容を判定する処理内容判定手段と、
変更処理内容が追加である場合に、前記時期情報の示す変更処理の実行時期が到来すると、前記要素データ特定情報によって特定される要素データを構成する複数の部品データを取得する取得手段と、
前記記憶手段から前記追加用部品データを読み出し、取得した前記複数の部品データに読出した前記追加用部品データを追加して出力する出力手段と
を有する
ことを特徴とする請求の範囲第２項記載のデータ放送データ制御システム。
【請求項９】  前記記憶手段は、少なくとも１つ以上の追加用部品データを、それぞれ、当該追加用部品データを送出する送出時間帯と対応付けて記憶し、
前記出力手段は、前記時期情報の示す前記実行時期を範囲内に含む送出時間帯と対応付けられている追加用部品データを前記記憶手段から読出す
ことを特徴とする請求の範囲第８項記載のデータ放送データ制御システム。
【請求項１０】  前記データ放送データ制御システムは、複数の放送装置を含み、
前記制御情報はさらに、前記変更処理を実行する放送装置を特定するための装置情報を含み、
前記変更手段はさらに、自己の放送装置が、自己の放送装置が前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第９項記載のデータ放送データ制御システム。
【請求項１１】  前記制御情報は、前記複数の要素データの中から変更処理対象となる要素データを特定する要素データ特定情報と、変更処理内容を示す処理内容情報と、変更処理の実行時期を示す時期情報と、前記複数の要素データに追加するための部品データである追加用部品データとを含み、
前記変更手段は、
処理内容情報の示す変更処理内容を判定する処理内容判定手段と、
前記処理内容情報の示す変更処理内容が追加である場合に、前記時期情報の示す変更処理の実行時期が到来すると、前記要素データ特定情報によって特定される要素データを構成する複数の部品データを取得する取得手段と、
前記制御情報に含まれる前記追加用部品データを取得する追加用部品データ取得手段と、
前記取得手段によって取得された前記複数の部品データに、前記追加用部品データ取得手段によって取得された追加用部品データを追加して出力する出力手段と
を有する
ことを特徴とする請求の範囲第２項記載のデータ放送データ制御システム
【請求項１２】  前記データ放送データ制御システムは、複数の放送装置を含み、
前記制御情報はさらに、前記変更処理を実行する放送装置を特定するための装置情報を含み、
前記変更手段はさらに、自己の放送装置が前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第１１項記載のデータ放送データ制御システム。
【請求項１３】  前記制御情報は、複数の前記各要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記変更手段は、
前記処理内容情報の示す変更処理内容を判定する処理内容判定手段と、
変更処理内容が削除である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
削除した前記部品データを除く複数の前記部品データを出力する出力手段と
を有する
ことを特徴とする請求の範囲第２項記載のデータ放送データ制御システム。
【請求項１４】  前記データ放送データ制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第１３項記載のデータ放送データ制御システム。
【請求項１５】  前記制御情報は、前記変更処理の処理手順を示すスクリプトを含み、
前記変更手段は、前記スクリプトの示す処理手順に従って前記変更処理を実行する
ことを特徴とする請求の範囲第２項記載のデータ放送データ制御システム。
【請求項１６】  前記データ放送データ制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第１５項記載のデータ放送データ制御システム。
【請求項１７】  複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第３項記載のデータ放送データ制御システム。
【請求項１８】  複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第６項記載のデータ放送データ制御システム。
【請求項１９】  複数の前記各要素データは、モジュールであり、複数の前記各部品データは、リソースであり、複数の前記各リソースは、データサイズが同一のパケットデータから構成され、各パケットデータには、当該パケットデータが属するモジュールを特定するモジュール識別子が付与され、
前記要素データ特定情報は、前記モジュール識別子によって、変更処理対象となる要素データを特定する
ことを特徴とする請求の範囲第８項記載のデータ放送データ制御システム。
【請求項２０】  複数の前記各要素データは、モジュールであり、複数の前記各部品データは、リソースであり、複数の前記各リソースは、データサイズが同一のパケットデータから構成され、各パケットデータには、当該パケットデータが属するモジュールを特定するモジュール識別子が付与され、
前記要素データ特定情報は、前記モジュール識別子によって、変更処理対象となる要素データを特定する
ことを特徴とする請求の範囲第１１項記載のデータ放送データ制御システム。
【請求項２１】  複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第１３項記載のデータ放送データ制御システム。
【請求項２２】  前記送信手段は、前記制御情報と複数の前記各要素データをＴＳ（トランスポートストリーム）伝送形式により繰返し送信する
ことを特徴とする請求の範囲第２項記載のデータ放送データ制御システム。
【請求項２３】  前記送信手段は、前記制御情報と複数の前記各要素データをＩＰ（インターネットプロトコール）伝送形式により繰返し送信する
ことを特徴とする請求の範囲第２項記載のデータ放送データ制御システム。
【請求項２４】  データ放送データを構成する複数の要素データを繰返し送信する送信装置と、送信された複数の前記各要素データを受信して放送する放送装置とから構成されるデータ放送データ制御システムであって、
前記送信装置は、
前記データ放送データの構成の変更処理内容を示す処理内容情報と、前記変更処理の実行時期を示す時期情報とを含む制御情報を生成する制御情報生成手段と、
生成した制御情報を前記放送装置に送信する送信手段と
を有し、
前記放送装置は、
前記制御情報を受信する受信手段と、
少なくとも１つ以上の追加用イベントメッセージを、それぞれ、当該追加用イベントメッセージの送出時間帯を示す送出時間情報と対応付けて記憶している記憶手段と、
前記処理内容情報の示す変更処理内容を判定する処理内容判定手段と、
変更処理内容が追加である場合に、前記時期情報の示す変更処理の実行時期が到来すると、当該実行時期を範囲内に含む送出時間帯と対応付けられている追加用イベントメッセージを前記記憶手段から読み出す読出手段と、
読み出した前記追加用イベントメッセージと複数の前記各要素データとを出力する出力手段と
を有する
ことを特徴とするデータ放送データ制御システム。
【請求項２５】  前記データ放送データ制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第２４項記載のデータ放送データ制御システム。
【請求項２６】  データ放送データを構成する複数の要素データを繰返し送信する送信装置と、送信された複数の前記各要素データを受信して放送する放送装置とから構成されるデータ放送データ制御システムであって、
前記送信装置は、
前記データ放送データの構成の変更処理内容を示す処理内容情報と、前記変更処理の実行時期を示す時期情報と、複数の前記各要素データに追加されるイベントメッセージである追加用イベントメッセージとを含む制御情報を生成する制御情報生成手段と、
生成した制御情報を前記放送装置に送信する送信手段と
を有し、
前記放送装置は、
前記制御情報を受信する受信手段と、
前記処理内容情報の示す変更処理内容を判定する処理内容判定手段と、
変更処理内容が追加である場合に、前記時期情報の示す変更処理の実行時期が到来すると、前記制御情報に含まれる追加用イベントメッセージを取得する取得手段と、
取得した前記追加用イベントメッセージと複数の前記各要素データとを出力する出力手段と
を有する
ことを特徴とするデータ放送データ制御システム。
【請求項２７】  前記データ放送データ制御システムは、複数の放送装置を含み、
前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第１９項記載のデータ放送データ制御システム。
【請求項２８】  データ放送データを構成する複数の各要素データを繰返し放送装置に送信する送信装置であって、
複数の前記各要素データは、複数の部品データから構成され、
前記送信装置は、
複数の前記各要素データの中の特定の前記要素データにおける特定の部品データの変更処理の実行を前記放送装置に指示する制御情報を生成する制御情報生成手段と、
前記制御情報を放送装置に送信する送信手段と
を備えることを特徴とする送信装置。
【請求項２９】  前記送信装置は、映像データと音声データと複数の前記各要素データとを多重化したトランスポートストリームを入力する入力手段を備え、
前記制御情報生成手段は、前記制御情報を前記入力手段から入力されたトランスポートストリームに多重化し、
前記送信手段は、前記制御情報を多重化したトランスポートストリームを放送装置に送信する
ことを特徴とする請求の範囲第２８項記載の送信装置。
【請求項３０】  前記送信装置は、映像信号を入力する入力手段を備え、
前記制御情報生成手段は、前記制御情報を入力された映像信号に重畳し、
前記送信手段は、前記制御情報を重畳した映像信号を放送装置に送信する
ことを特徴とする請求の範囲第２８項記載の送信装置。
【請求項３１】  前記制御情報生成手段は、前記制御情報を映像信号の特定の水平走査期間に重畳する
ことを特徴とする請求の範囲第３０項記載の送信装置。
【請求項３２】  前記送信装置は、映像信号を入力する入力手段を備え、
前記送信手段は、前記制御情報をシリアルディジタルインターフェース（ＳＤＩ）方式により送信し、
前記制御情報生成手段は、前記制御情報を入力された映像信号のアンシラリデータ領域に含める
ことを特徴とする請求の範囲第２８項記載の送信装置。
【請求項３３】  前記送信装置は、映像及び音声データを入力する入力手段を備え、
前記制御情報生成手段は、前記制御情報を入力された映像及び音声データに多重化し、
前記送信手段は、前記制御情報を多重化した映像及び音声データを放送装置に送信する
ことを特徴とする請求の範囲第２８項記載の送信装置。
【請求項３４】  前記制御情報生成手段は、前記制御情報をＭＰＥＧ規格のＰＥＳ（Packetized Elementary Stream）の形式で、入力された映像及び音声データに多重化する
ことを特徴とする請求の範囲第３３項記載の送信装置。
【請求項３５】  前記制御情報生成手段は、前記制御情報をＭＰＥＧ規格のセクションの形式で、入力された映像及び音声データに多重化する
ことを特徴とする請求の範囲第３３項記載の送信装置。
【請求項３６】  前記制御情報生成手段は、前記制御情報をＤＩＩ（Download Info Indication）に記述し、ＤＳＭ−ＣＣ(Digital Storage Media - Command and Control)データカルーセル伝送方式に従って複数の前記各要素データとＤＩＩを出力し、
前記送信手段は、前記制御情報生成手段から出力されたＤＩＩ及び複数の前記各要素データを放送装置に送信する
ことを特徴とする請求の範囲第２８項記載の送信装置。
【請求項３７】  前記制御情報生成手段は、前記制御情報をＤＤＢ（Download DataBlock）に記述し、ＤＳＭ−ＣＣ(Digital Storage Media - Command and Control)データカルーセル伝送方式に従って複数の前記各要素データとＤＤＢを出力し、
前記送信手段は、前記制御情報生成手段から出力されたＤＤＢ及び複数の前記各要素データを放送装置に送信する
ことを特徴とする請求の範囲第２８項記載の送信装置。
【請求項３８】  データ放送データを構成する複数の各要素データを放送する放送装置であって、
複数の前記各要素データは、複数の部品データから構成され、
外部から、複数の前記各要素データの中の特定の前記要素データにおける特定の部品データの変更処理の実行を前記放送装置に指示する制御情報を受信する受信手段と、
前記制御情報に従って、特定の前記要素データにおける特定の部品データの変更処理を実行する変更手段と、
前記変更処理が実行された特定の前記要素データを含む前記データ放送データを放送する放送手段と
を備えることを特徴とする放送装置。
【請求項３９】  前記制御情報は、前記複数の要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記放送装置は、部品データ特定情報によって特定される部品データと差替えるための部品データである差替部品データを、前記部品データ特定情報と対応付けて記憶している記憶手段を備え、
前記変更手段は、
処理内容情報の示す変更処理内容を判定する処理内容判定手段と、
変更処理内容が差替である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
前記記憶手段から、前記部品データ特定情報に対応付けられている差替部品データを読出し、前記部品データ特定情報によって特定される要素データにおいて、削除した前記部品データを読出した差替部品データに差替えて出力する出力手段と
を有する
ことを特徴とする請求の範囲第３８項記載の放送装置
【請求項４０】  前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第３９項記載の放送装置。
【請求項４１】  前記制御情報は、前記複数の要素データの中から変更処理対象となる要素データと、当該要素データを構成する部品データの中で変更処理対象となる部品データとを特定する部品データ特定情報と、変更処理の内容を示す処理内容情報と、変更処理の実行時期を示す時期情報と、部品データ特定情報によって特定される部品データと差替えるための部品データである差替部品データとを含み、
前記変更手段は、
前記処理内容情報の示す変更処理内容を判定する処理内容判定手段と、
変更処理内容が差替である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
前記制御情報に含まれる前記差替部品データを取得する差替部品データ取得手段と、
前記部品データ特定情報によって特定される要素データにおいて、削除した前記部品データを取得した前記差替部品データに差替えて出力する出力手段と
を有する
ことを特徴とする請求の範囲第３８項記載の放送装置。
【請求項４２】  前記制御情報はさらに、前記差替処理を実行する放送装置を特定する装置情報を含み、
前記変更手段はさらに、自己の放送装置が、前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第４１項記載の放送装置。
【請求項４３】  前記制御情報は、前記複数の要素データの中から変更処理対象となる要素データを特定する要素データ特定情報と、変更処理内容を示す処理内容情報と、変更処理の実行時期を示す時期情報とを含み、
前記放送装置は、変更処理対象となる要素データに追加する部品データである追加用部品データを記憶している記憶手段を備え、
前記変更手段は、
前記処理内容情報の示す変更処理内容を判定する処理内容判定手段と、
変更処理内容が追加である場合に、前記時期情報の示す変更処理の実行時期が到来すると、前記要素データ特定情報によって特定される要素データを構成する複数の部品データを取得する取得手段と、
前記記憶手段から前記追加用部品データを読み出し、取得した前記複数の部品データに読出した前記追加用部品データを追加して出力する出力手段と
を有する
ことを特徴とする請求の範囲第３８項記載の放送装置。
【請求項４４】  前記記憶手段は、少なくとも１つ以上の追加用部品データを、それぞれ、当該追加用部品データを送出する送出時間帯と対応付けて記憶し、
前記出力手段は、前記時期情報の示す前記実行時期を範囲内に含む送出時間帯と対応付けられている追加用部品データを前記記憶手段から読出す
ことを特徴とする請求の範囲第４３項記載の放送装置。
【請求項４５】  前記制御情報はさらに、前記変更処理を実行する放送装置を特定する装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第４４項記載の放送装置。
【請求項４６】  前記制御情報は、前記複数の要素データの中から変更処理対象となる要素データを特定する要素データ特定情報と、変更処理内容を示す処理内容情報と、変更処理の実行時期を示す時期情報と、前記複数の要素データに追加するための部品データである追加用部品データとを含み、
前記変更手段は、
処理内容情報の示す変更処理内容を判定する処理内容判定手段と、
前記処理内容情報の示す変更処理内容が追加である場合に、前記時期情報の示す変更処理の実行時期が到来すると、前記要素データ特定情報によって特定される要素データを構成する複数の部品データを取得する取得手段と、
前記制御情報に含まれる前記追加用部品データを取得する追加用部品データ取得手段と、
前記取得手段によって取得された前記複数の部品データに、前記追加用部品データ取得手段によって取得された追加用部品データを追加して出力する出力手段と
を有する
ことを特徴とする請求の範囲第３８項記載の放送装置。
【請求項４７】  前記制御情報はさらに、前記変更処理を実行する放送装置を特定するための装置情報を含み、
前記変更手段はさらに、自己の放送装置が、前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第４６項記載の放送装置。
【請求項４８】  複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第３９項記載の放送装置。
【請求項４９】  複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第４３項記載の放送装置。
【請求項５０】  複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第４６項記載の放送装置。
【請求項５１】  前記制御情報は、前記複数の要素データの中から変更処理対象となる要素データと、当該要素データを構成する部品データの中で変更処理対象となる部品データとを特定する部品データ特定情報と、変更処理内容を示す処理内容情報と、変更処理の実行時期を示す時期情報とを含み、
前記変更手段は、
前記処理内容情報の示す変更処理内容を判定する処理内容判定手段と、
変更処理内容が削除である場合に、前記時期情報の示す変更処理の実行時期が到来すると、前記部品データ特定情報によって特定される要素データを構成する複数の部品データを取得する取得手段と、
取得した前記複数の部品データから、前記部品データ特定情報によって特定される部品データを削除する削除手段と、
削除した前記部品データを除く前記複数の部品データを出力する出力手段と
を有する
ことを特徴とする請求の範囲第３８項記載の放送装置。
【請求項５２】  前記制御情報はさらに、前記変更処理を実行する放送装置を特定するための装置情報を含み、
前記変更手段はさらに、自己の放送装置が、前記装置情報によって特定される放送装置に該当するか否かを判定する判定手段を有し、
前記変更手段は、自己の放送装置が、前記装置情報によって特定される放送装置に該当する場合に限り、前記変更処理を実行する
ことを特徴とする請求の範囲第５１項記載の放送装置。
【請求項５３】  複数の前記各要素データは、モジュールであり、複数の前記各部品データは、リソースであり、複数の前記各リソースは、データサイズが同一のパケットデータから構成され、各パケットデータには、当該パケットデータが属するモジュール及びリソースを特定するモジュール識別子及びリソース識別子が付与され、
前記部品データ特定情報は、前記モジュール識別子及び前記リソース識別子によって、変更処理対象となる要素データ及び変更処理対象となる部品データをそれぞれ特定する
ことを特徴とする請求の範囲第５１項記載の放送装置。
【請求項５４】  前記制御情報は、前記変更処理の処理手順を示すスクリプトを含み、
前記変更手段は、前記スクリプトの示す処理手順に従って前記変更処理を実行  する
ことを特徴とする請求の範囲第３８項記載の放送装置。
【請求項５５】  前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の法装置が、前記装置情報によって特定される放送装置に該当する場合に限り、前記変更処理を実行する
ことを特徴とする請求の範囲第５４項記載の放送装置。
【請求項５６】  データ放送データを構成する複数の要素データを繰返し送信する送信装置から送信された複数の前記各要素データを受信して放送する放送装置であって、
外部から、前記データ放送データの構成の変更処理内容を示す処理内容情報と、前記変更処理の実行時期を示す時期情報とを含む制御情報を受信する受信手段と、
少なくとも１つ以上の追加用イベントメッセージを、それぞれ、当該追加用イベントメッセージの送出時間帯を示す送出時間情報と対応付けて記憶している記憶手段と、
前記処理内容情報の示す変更処理内容を判定する処理内容判定手段と、
変更処理内容が追加である場合に、前記時期情報の示す変更処理の実行時期が到来すると、当該実行時期を範囲内に含む送出時間帯と対応付けられている追加用イベントメッセージを前記記憶手段から読み出す読出手段と、
読み出した前記追加用イベントメッセージと複数の前記各要素データとを出力する出力手段と
を備える
ことを特徴とする放送装置。
【請求項５７】  前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第５６項記載の放送装置。
【請求項５８】  データ放送データを構成する複数の要素データを繰返し送信する送信装置から送信された複数の前記各要素データを受信して放送する放送装置であって、
外部から、変更処理内容を示す処理内容情報と、変更処理の実行時期を示す時期情報と、複数の要素データに追加されるイベントメッセージである追加用イベントメッセージとを含む制御情報を受信する受信手段と、
前記処理内容情報の示す変更処理内容を判定する処理内容判定手段と、
変更処理内容が追加である場合に、前記時期情報の示す変更処理の実行時期が到来すると、前記制御情報に含まれる追加用イベントメッセージを取得する取得手段と、
取得した追加用イベントメッセージと前記複数の各要素データとを出力する出力手段と
を備えることを特徴とする放送装置。
【請求項５９】  前記制御情報はさらに、前記変更処理を実行する放送装置を特定するための装置情報を含み、
前記変更手段はさらに、自己の放送装置が、前記装置情報によって特定される放送装置に該当するか否かを判定する装置判定手段を有し、
前記変更手段は、自己の放送装置が、前記装置情報によって特定される放送装置に該当する場合に限り、前記変更処理を実行する
ことを特徴とする請求の範囲第５８項記載の放送装置。
【請求項６０】  前記変更手段はさらに、前記変更処理の実行を抑止する抑止手段を有する
ことを特徴とする請求の範囲第４０項、第４２項、第４５項、第４７項、第５２項、第５７項、第５９項の何れかに記載の放送装置。
【請求項６１】  データ放送データを構成する複数の各要素データを繰返し放送装置に送信する送信装置に用いる送信方法であって、
複数の前記各要素データは、複数の部品データから構成され、
前記送信装置は、
複数の前記各要素データの中の特定の前記要素データにおける特定の部品データの変更処理の実行を前記放送装置に指示する制御情報を生成する制御情報生成ステップと、
前記制御情報を放送装置に送信する送信ステップと
を含むことを特徴とする送信方法。
【請求項６２】  データ放送データを構成する複数の要素データを繰返し放送装置に送信する送信装置に用いる送信プログラムであって、
複数の前記各要素データは、複数の部品データから構成され、
前記送信プログラムは、
複数の前記各要素データの中の特定の前記要素データにおける特定の部品データの変更処理の実行を前記放送装置に指示する制御情報を生成する制御情報生成ステップと、
前記制御情報を放送装置に送信する送信ステップと
を含むことを特徴とする送信プログラム。
【請求項６３】  データ放送データを構成する複数の要素データを繰返し放送装置に送信する送信装置に用いる送信プログラムを記録したコンピュータ読取可能な記録媒体であって、
複数の前記各要素データは、複数の部品データから構成され、
前記送信プログラムは、
複数の前記各要素データの中の特定の前記要素データにおける特定の部品データの変更処理の実行を前記放送装置に指示する制御情報を生成する制御情報生成ステップと、
前記制御情報を放送装置に送信する送信ステップと
を含むことを特徴とするコンピュータ読取可能な記録媒体。
【請求項６４】  データ放送データを構成する複数の各要素データを放送する放送装置に用いる放送方法であって、
複数の前記各要素データは、複数の部品データから構成され、
前記放送方法は、
外部から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送データを放送する放送ステップと
を含むことを特徴とする放送方法。
【請求項６５】  データ放送データを構成する複数の各要素データを放送する放送装置に用いる放送プログラムであって、
複数の前記各要素データは、複数の部品データから構成され、
前記放送プログラムは、
外部から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送データを放送する放送ステップと
を含むことを特徴とする放送プログラム。
【請求項６６】  データ放送データを構成する複数の各要素データを放送する放送装置に用いる放送プログラムを記録したコンピュータ読取可能な記録媒体であって、
複数の前記各要素データは、複数の部品データから構成され、
前記放送プログラムは、
外部から、複数の前記各要素データの中の特定の前記要素データにおける特定の部品データの変更処理の実行を前記放送装置に指示する制御情報を受信する受信ステップと、
前記制御情報に従って、特定の前記要素データにおける特定の部品データの変更処理を実行する変更ステップと、
前記変更処理が実行された特定の前記要素データを含む前記データ放送データを放送する放送ステップと
を含むことを特徴とするコンピュータ読取可能な記録媒体。